(57)【要約】【課題】中押しジャッキの複数同時駆動による長距離推進工法を提供する。【解決手段】先行の推進管ブロックと後行の反力管ブロック、中押しジャッキ装置を一組とし、必要な組数を管の推進方向に順次数珠繋ぎ状態に発進縦坑から連続させる。発進縦坑内の発進用ジャッキ装置は、推進管単位体を順次に地中へ押し込む工程を繰り返して推進管ブロック又は反力管ブロックを順次に構築する。先導掘進装置は、直後の反力管ブロックに反力をとった中押しジャッキ装置で一定ストローク推進させる。各組の推進管ブロックと反力管ブロックは、交互に反力管ブロックと推進管ブロックに役割を切り換え、中押しジャッキ装置で反力管ブロックに反力をとり推進管ブロックを推進させる工程を繰り返す。【選択図】図１
2004084165.tif 000002
【特許請求の範囲】
【請求項１】
先行の推進管ブロックと、前記推進管ブロックの推進に反力を与える後行の反力管ブロックとを中押しジャッキ装置を仲介として組み合わせたものを一組として、必要な組数を管の推進方向に順次数珠繋ぎ状態に発進縦坑の位置から連続させること、
発進縦坑内の発進用ジャッキ装置は、直前のブロックが推進され、それが反力管ブロックとして反力工程を実行する間に、推進管単位体を順次に地中へ押し込む工程を繰り返し、前記推進管単位体が複数集合した推進管ブロック又は反力管ブロックを順次に構築すること、
先端の先導掘進装置は、直後のブロックが反力管ブロックとして反力工程を実行する間に、同反力管ブロックに反力をとった中押しジャッキ装置で一定ストローク推進させること、
各組の推進管ブロックと反力管ブロックは、前後に位置するブロック同士の関係で交互に反力管ブロックと推進管ブロックに役割を切り換え、各ブロックの間に介在する中押しジャッキ装置で反力管ブロックに反力をとり推進管ブロックを推進させる工程を繰り返して所望の長距離推進を達成することをそれぞれ特徴とする、中押しジャッキの複数同時駆動による長距離推進工法。
【請求項２】
先行の推進管ブロックと、前記推進管ブロックの推進に反力を与える後行の反力管ブロックとを中押しジャッキ装置を仲介として組み合わせたものを一組として、必要な組数を管の推進方向に順次数珠繋ぎ状態に発進縦坑の位置から連続させること、
発進縦坑内の発進用ジャッキ装置は、直前のブロックが推進され、それが反力管ブロックとして反力工程を実行する間に、推進管単位体を順次に地中へ押し込む工程を繰り返し、前記推進管単位体が複数集合した推進管ブロック又は反力管ブロックを順次に構築すること、
先導掘進装置は最先のブロックと一体化され、直後のブロックが反力管ブロックとして反力工程を実行する間に、同反力管ブロックに反力をとった中押しジャッキ装置でブロック毎一定ストローク掘進させること、
各組の推進管ブロックと反力管ブロックは、前後に位置するブロック同士の関係で交互に反力管ブロックと推進管ブロックに役割を切り換え、各ブロックの間に介在する中押しジャッキ装置で反力管ブロックに反力をとり推進管ブロックを推進させる工程を繰り返して所望の長距離推進を達成することをそれぞれ特徴とする、中押しジャッキの複数同時駆動による長距離推進工法。
【請求項３】
中押しジャッキ装置による先導掘進装置及び推進管ブロックの推進工程は、該当する複数の中押しジャッキ装置を一斉に同時駆動させて行うことを特徴とする、請求項１又は２に記載した中押しジャッキの複数同時駆動による長距離推進工法。
【請求項４】
先行の推進管ブロックと後行の反力管ブロックは推進方向の規模がほぼ等しい大きさとし、反力管ブロックとして反力工程を実行する際には、反力増進機構により推進管ブロックの推進抵抗よりも大きな推進反力を確保することを特徴とする、請求項１又は２又は３に記載した中押しジャッキの複数同時駆動による長距離推進工法。
【請求項５】
後行の反力管ブロックは、先行の推進管ブロックの推進に必要な推進反力を確保するに足る程度に推進方向の規模を大きく構築し、前記反力管ブロックを推進管ブロックに役割を切り換えて推進させる際には、同反力管ブロックを推進方向の前後に少なくとも二分し、先ず前方部分を推進管ブロックとし、後方部分は後続の反力管ブロックと合同させて反力工程を実行し、これらの反力管ブロックに推進反力をとって前方部分を推進管ブロックとして中押しジャッキ装置により推進させ、その後に後方部分を後続の反力管ブロックに反力をとって中押しジャッキ装置により推進させることを特徴とする、請求項１又は２又は３に記載した中押しジャッキの複数同時駆動による長距離推進工法。
【請求項６】
後行の反力管ブロックは、先行の推進管ブロックよりも推進方向の規模を丁度２倍の大きさとし、前記反力管ブロックを推進管ブロックに役割を切り換えて推進させる際には、同反力管ブロックを推進方向の前後に二等分し、先ず前半部分を推進管ブロックとし、後半部分は後続の反力管ブロックと合同させて反力工程を実行し、これらの反力ブロックに推進反力をとって前半部分を推進管ブロックとして中押しジャッキ装置で推進させ、その後に後半部分を後続の反力管ブロックに反力をとって中押しジャッキ装置により推進させることを特徴とする、請求項１又は２又は３に記載した中押しジャッキの複数同時駆動による長距離推進工法。
【発明の詳細な説明】
【０００１】
【発明の属する技術分野】
この発明は、上下水道管やガス管、電線管などを地中に埋設する推進工法、とりわけ５ｋｍないし１０ｋｍにも及ぶ超長距離推進を一気に短工期で、安全に、しかも安価な工費で実現する中押しジャッキの複数同時駆動による長距離推進工法の技術分野に属する。
【０００２】
【従来の技術】
推進工法は、地盤を掘削する開削工法の種々な問題点を解決した非開削工法として広く実施されている（例えば特開平６−２４８８７３号公報に記載された管の推進工法など参照）。
【０００３】
推進工法の問題点は、推進距離が長くなるにつれて推進管の周面に発生する地山の摩擦抵抗が増大し、推進可能な長さに限界がある（通例は１００ｍ〜１５０ｍ程度）ことである。そのため推進限度内の距離毎に発進縦坑を構築して連続性を保つ必要がある。よって、縦坑の構築に必要なスペースを確保する面倒さと、縦坑の構築のために要する作業工数、仮設工が増え、工期が長引き、工費が嵩むことが大きな問題点である。
【０００４】
最近では大深度の利用可能性が現実化してきたこともあって、長距離推進工法の開発と研究が進められ、中押し工法、或いは中押し装置なども種々提案されている（例えば特開平２−３０８８９号公報に記載された推進工法における管の中押し工法、特開平６−１３７０７５号公報に記載された中押し工法、特開平６−１９３３８５号公報に記載された長距離推進用中押装置、特開平７−６２９７８号公報に記載された推進工法及びこれに用いる中押し推進装置など参照）。
【０００５】
更に、従前の中押し推進工法の推進距離はせいぜい３００ｍ〜５００ｍが限度であることに鑑みて、特開平７−３０５５９１号公報に記載された中押し推進工法は、例えば１０００ｍの長距離推進距離を達成する工法を提案している。
【０００６】
【本発明が解決しようとする課題】
従来の推進工法は、中押し推進工法の採用により、推進可能な距離が飛躍的に延長されてきた。
【０００７】
しかし、上記した特開平７−３０５５９１号公報に記載された中押し推進工法でさえも、推進可能な距離はせいぜい１０００ｍ程度にすぎない。即ち、同推進工法は、先行推進管と後続推進管との間に中押しジャッキを介装して実施する中押し推進工法であるが、先行推進管よりも後続推進管を若干長く形成して推進反力を確保することが特徴と認められる。そして、第１の推進工程は、前方から数えた奇数番の推進管をそれぞれ同時に推進させ、第２の推進工程では偶数番の推進管をそれぞれ同時に推進させる。以下、第１工程と第２工程を交互に繰り返すことを内容としているものと認められる。
【０００８】
上記工法もたしかに一案ではある。しかし、その実施例を説明した公報中の段落番号［００１１］の記載によれば、第１の推進管の長さが１２６ｍで、第２の推進管の長さは１５６ｍ、第３の推進管の長さが１９２ｍ、第４の推進管の長さは２３４ｍ、第５の推進管の長さを２８２ｍのように設定する。その結果、第６以降の推進管の長さは、もはや既往の中押し推進工法の推進距離の限界に達し、これ以上に長く続けることはできない。結局、前記の第１から第５の各推進管の長さを総計した全推進距離は９９０ｍと計算されるのであり、これ以上に長い推進施工は不可能と考えられる。
【０００９】
本発明の目的は、極端に言えば、汎用のジャッキ装置を使用しても、限界を持たない無限長の推進を可能にすることである。現実的、実用的な観点で設計しても、５ｋｍないし１０ｋｍに及ぶ超長距離推進を一気に、短工期で、安全に、しかも安価な工費で実施可能な、中押しジャッキの複数同時駆動による長距離推進工法を提供することにある。
【００１０】
【課題を解決するための手段】
上述の課題を解決するための手段として、請求項１に記載した発明に係る中押しジャッキの複数同時駆動による長距離推進工法は、
先行の推進管ブロックと、前記推進管ブロックの推進に反力を与える後行の反力管ブロックとを中押しジャッキ装置を仲介として組み合わせたものを一組として、必要な組数を管の推進方向に順次数珠繋ぎ状態に発進縦坑の位置から連続させること、
発進縦坑内の発進用ジャッキ装置は、直前のブロックが推進され、それが反力管ブロックとして反力工程を実行する間に、推進管単位体を順次に地中へ押し込む工程を繰り返し、前記推進管単位体が複数集合した推進管ブロック又は反力管ブロックを順次に構築すること、
先端の先導掘進装置は、直後のブロックが反力管ブロックとして反力工程を実行する間に、同反力管ブロックに反力をとった中押しジャッキ装置で一定ストローク推進させること、
各組の推進管ブロックと反力管ブロックは、前後に位置するブロック同士の関係で交互に反力管ブロックと推進管ブロックに役割を切り換え、各ブロックの間に介在する中押しジャッキ装置で反力管ブロックに反力をとり推進管ブロックを推進させる工程を繰り返して所望の長距離推進を達成することをそれぞれ特徴とする。
【００１１】
請求項２に記載した発明に係る中押しジャッキの複数同時駆動による長距離推進工法は、
先行の推進管ブロックと、前記推進管ブロックの推進に反力を与える後行の反力管ブロックとを中押しジャッキ装置を仲介として組み合わせたものを一組として、必要な組数を管の推進方向に順次数珠繋ぎ状態に発進縦坑の位置から連続させること、
発進縦坑内の発進用ジャッキ装置は、直前のブロックが推進され、それが反力管ブロックとして反力工程を実行する間に、推進管単位体を順次に地中へ押し込む工程を繰り返し、前記推進管単位体が複数集合した推進管ブロック又は反力管ブロックを順次に構築すること、
先導掘進装置は最先のブロックと一体化され、直後のブロックが反力管ブロックとして反力工程を実行する間に、同反力管ブロックに反力をとった中押しジャッキ装置でブロック毎一定ストローク掘進させること、
各組の推進管ブロックと反力管ブロックは、前後に位置するブロック同士の関係で交互に反力管ブロックと推進管ブロックに役割を切り換え、各ブロックの間に介在する中押しジャッキ装置で反力管ブロックに反力をとり推進管ブロックを推進させる工程を繰り返して所望の長距離推進を達成することをそれぞれ特徴とする。
【００１２】
請求項３に記載した発明は、請求項１又は２に記載した中押しジャッキの複数同時駆動による長距離推進工法において、中押しジャッキ装置による先導掘進装置及び推進管ブロックの推進工程は、該当する複数の中押しジャッキ装置を一斉に同時駆動させて行うことを特徴とする。
【００１３】
請求項４に記載した発明は、請求項１又は２又は３に記載した中押しジャッキの複数同時駆動による長距離推進工法において、先行の推進管ブロックと後行の反力管ブロックは推進方向の規模がほぼ等しい大きさとし、反力管ブロックとして反力工程を実行する際には、反力増進機構により推進管ブロックの推進抵抗よりも大きな推進反力を確保することを特徴とする。
【００１４】
請求項５に記載した発明は、請求項１又は２又は３に記載した中押しジャッキの複数同時駆動による長距離推進工法において、後行の反力管ブロックは、先行の推進管ブロックの推進に必要な推進反力を確保するに足る程度に推進方向の規模を大きく構築し、前記反力管ブロックを推進管ブロックに役割を切り換えて推進させる際には、同反力管ブロックを推進方向の前後に少なくとも二分し、先ず前方部分を推進管ブロックとし、後方部分は後続の反力管ブロックと合同させて反力工程を実行し、これらの反力管ブロックに推進反力をとって前方部分を推進管ブロックとして中押しジャッキ装置により推進させ、その後に後方部分を後続の反力管ブロックに反力をとって中押しジャッキ装置により推進させることを特徴とする。
【００１５】
請求項６に記載した発明は、請求項１又は２又は３に記載した中押しジャッキの複数同時駆動による長距離推進工法において、後行の反力管ブロックは、先行の推進管ブロックよりも推進方向の規模を丁度２倍の大きさとし、前記反力管ブロックを推進管ブロックに役割を切り換えて推進させる際には、同反力管ブロックを推進方向の前後に二等分し、先ず前半部分を推進管ブロックとし、後半部分は後続の反力管ブロックと合同させて反力工程を実行し、これらの反力ブロックに推進反力をとって前半部分を推進管ブロックとして中押しジャッキ装置で推進させ、その後に後半部分を後続の反力管ブロックに反力をとって中押しジャッキ装置により推進させることを特徴とする。
【００１６】
【発明の実施形態及び実施例】
以下に、図面に示した本発明の実施形態を説明する。
【００１７】
図１〜図３は、請求項１、３、５、６に記載した発明に係る中押しジャッキの複数同時駆動による長距離推進工法の実施形態を工程順に示している。
【００１８】
図１において、添付符号Ａが先行の推進管ブロックであり、ハッチングを付した符号ＢとＣのブロックがそれぞれ、前記先行の推進管ブロックＡの推進に反力を与える後行の反力管ブロックである。
【００１９】
図１中の符号１０は最先端の先導掘進装置を指す。符号１１は各ブロック間、及び最先のブロックＡと先導掘進装置１０の間に設置した中押しジャッキ装置を指している。なお、符号１１’は推進動作中の中押しジャッキ装置であることを区別して表す。かくして先行の推進管ブロックＡと、後行の反力管ブロックＢ及びＣは、それぞれのブロックの間に中押しジャッキ装置１１を仲介させて組み合わされており、これらをもって一組の動作ユニットを構成している。
【００２０】
図１〜図３の実施形態の場合は、前記添付符号Ａ、Ｂ、Ｃの３ブロックをもって一組の動作ユニットとし、前記のような組を必要な組数だけ、発進縦坑１２内の発進用ジャッキ装置１３の位置から管の推進方向に順次数珠繋ぎ状態に連続させている。
【００２１】
因みに、添付符号Ａ、Ｂ、Ｃの３ブロックはそれぞれ、推進方向の規模を同一の長さとし、各ブロックを推進させる際の推進抵抗の大きさがほぼ等しい構成としている。具体的に、１ブロックの長さを例示すると、約２．５ｍの推進管単位体（鋼製、コンクリート製又は合成樹脂製などの管体。）を数珠繋ぎ状態に連続させて１５０ｍ程度の長さに構築している。図１中の符号１４は縦坑１２内に設けた支圧壁を指しており、これが発進用ジャッキ装置１３に推進反力を与える。中押しジャッキ装置１１及び発進用ジャッキ装置１３は、好ましくは既往の汎用ジャッキ製品で構成される。
【００２２】
因みに、図４（イ）、（ロ）は、中押しジャッキ装置１１の具体的な構成を例示している。中押しジャッキ装置１１の構成、作用に関しては既に種々公知である。図示例のものは、先行ブロックＡ１の後端と後続ブロックＢ２の先端の間に、複数のジャッキ１５…を円周方向に均等に配置し、その外周面にスライド自在な保護管（カラー）１６を設置して成る。符号１７は止水リングを指す。
【００２３】
再び図１の説明にもどる。図１は、添付符号Ａで示す先行の推進管ブロックが現在推進工程中であることを示している。図１に添付符号Ａで示した前後三つのブロックが推進管ブロックであり、各々の後を押す３基の中押しジャッキ装置１１’が一斉に（同時に）推進動作（伸長動作）中であることを示している。一方、後続のハッチングを付した二つずつのブロックが反力管ブロックＢとＣであり、これらに推進反力（基本的に外周面の摩擦抵抗力）をとって前記推進管ブロックＡが推進される。つまり、同一規模の二つのブロックＢ、Ｃに反力をとって、先行の一つのブロックＡを推進させるので、推進反力の大きさは必要十分に確保できる訳である。
【００２４】
以下、更に具体的に推進動作を説明する。
【００２５】
発進縦坑１２内の発進用ジャッキ装置１３は、図１の右端に位置する直前のブロックＣが一定ストローク推進された後、同Ｃが反力管ブロックとして反力工程を実行している間に、その跡へ、推進ストロークに相当する長さの推進管単位体Ａ’を１ピースずつ推進させて土中へ押し込む。この推進工程を順次繰り返すことにより、推進管単位体Ａ’が複数集合した推進管ブロックＡ又は反力管ブロックＢ、Ｃを順次に構築することになる。
【００２６】
先端（左端）の先導掘進装置１０は、図２及び図３に示したように、直後のハッチングを付したブロックＡ（及びＢ）が反力管ブロックとして反力工程を実行する間に、同反力管ブロックＡに反力をとった中押しジャッキ装置１１’で一定ストローク掘進させる。図２は先導掘進装置１０の掘進を開始したばかりの初期状態で、図３は掘進ストロークを完遂した状態を示している。先導掘進装置１０の掘進に必要な推力は、後続のブロックＡの規模によって発生する推進反力に比較してはるかに小さいから、随時に掘進動作させることも可能である。しかし、推進工法の実施におけるジャッキ制御の便宜上は、後行のブロックＢの推進工程と同時期に掘進動作させるのが好都合である（請求項３に記載した発明）。
【００２７】
以下、同様の推進工程を繰り返して推進距離を所望の位置まで延長していく。先導掘進装置１０の方向制御、および先導掘進装置１０で掘削した土砂の排出などは、既に公知の手法でそれぞれ行うので、詳しい説明は省く。
【００２８】
上記した先導掘進装置１０と発進縦坑１２内の発進用ジャッキ装置１３の間に位置する複数組の推進管ブロックと反力管ブロック（Ａ、Ｂ、Ｃ）は、次に説明するように、前後に位置する一組のブロックＡ、Ｂ、Ｃ相互の関係で交互に反力管ブロックと推進管ブロックとに役割を切り換え、各ブロックの間に介在する中押しジャッキ装置１１及び１１’で後続の反力管ブロックに反力をとり推進管ブロックを推進させる工程を繰り返して所定の場所まで長距離推進を実行する。
【００２９】
上記した通り、図１では、添付符号Ａのブロックが推進管ブロックで、ハッチングを付した添付符号Ｂ、Ｃの二つのブロックが反力管ブロックであり、これらに反力をとった中押しジャッキ装置１１’により、推進管ブロックＡの推進工程を進めている。つまり、請求項５の発明で言う、反力管ブロックが推進管ブロックよりも推進方向の規模が丁度２倍の大きさである実施例に該当する。したがって、推進反力は後続の二つの反力管ブロックＢ、Ｃにより必要十分な大きさを確保できる。また、中押しジャッキ装置１１’による推進管ブロックＡの推進工程は、前後方向においてブロックＡに該当する複数の中押しジャッキ装置１１’を一斉に同時に推進駆動させて行う。これによって全体の推進作業時間を数分の一に短縮し、工期の短縮が図られる（請求項３に記載した発明）。該当する複数の中押しジャッキ装置１１’を選択して一斉に同時に推進駆動させる手段については、制御回路等を図示することまでは省略したが、公知のプログラム制御（シーケンス制御）の如き手法により実施される。
【００３０】
図２では各ブロックＡ、Ｂ、Ｃの役割が変わり、ハッチングを付した添付符号Ａのブロックが反力管ブロックに切り換わり、次順の添付符号Ｂのブロックが推進管ブロックとなり、後続の添付符号Ｃのブロックは依然として反力管ブロックとなっている。したがって、最先端のブロックＡを除き、前後に隣接する二つのブロックＣとＡが合同して反力ブロックとなる。反力管ブロックＣ、Ａが、推進管ブロックＢに比して推進方向の規模が丁度２倍の大きさであることに変わりがない。これらＣ、Ａの二つのブロックに反力をとった中押しジャッキ装置１１’により、推進管ブロックＢの推進工程が進められる。したがって、推進反力はやはり必要十分な大きさを確保できる。このときも前後方向においてブロックＢに該当する複数の中押しジャッキ装置１１’は一斉に同時に推進駆動させ、推進作業時間を短縮し、ひいては工期の短縮を図る。
【００３１】
なお、図２の場合、先導掘進装置１０は、その直後に位置する添付符号Ａのブロックを反力管ブロックに利用でき、両者間の中押しジャッキ装置１１’によって掘進工程を開始し、次の図３において掘進工程を完了している。
【００３２】
図２中で最も右寄りに位置する添付符号Ｂの推進管ブロックは、後続の１個のブロックＣに、１個の推進管単位体Ａ’およびこれを支持する発進用ジャッキ装置１３に推進反力をとって推進工程を実行している。
【００３３】
図３は、先導掘進装置１０が１ストロークの掘進工程を完了し、同じく１ストロークの推進工程を完了した添付符号Ｂのブロックはハッチングを付したように反力管ブロックへと役割が切り換えられている。そして、添付符号Ｃのブロックが推進管ブロックに切り換わり、後続の二つのブロックＡ、Ｂを反力管ブロックに利用して、中押しジャッキ装置１１’で推進工程を遂行している。
【００３４】
図３中で最も右方寄りに位置する推進管ブロックＣは、既に発進縦坑１２内の発進用ジャッキ装置１３で地中に押し込まれた１個の推進管単位体Ａ’及びこれを支える発進用ジャッキ装置１３の支持に推進反力をとった中押しジャッキ装置１１’により推進工程を実行している。
【００３５】
図３の後は、再び図１のように、添付符号Ａのブロックを推進管ブロックに切り換え、後続の二つのブロックＢとＣを反力管ブロックとする推進工程が複数一斉に実行される。そして、発進縦坑１２内の発進用ジャッキ装置１３は、２ピース目の推進管単位体Ａ’を押し込むことになる。以下、同様な工程を順に繰り返すことによって推進工法の施工が進められる。
【００３６】
したがって、本発明の推進工法によれば、一組をなす三つのブロックＡ、Ｂ、Ｃの規模（推進方向長さ）が、各中押しジャッキ装置１１の推進能力の限度内（例えば２００ｍ以内）に設定されている限り、ブロックＡ、Ｂ、Ｃから成る組数の多さに限度が無い。極端に言えば、無限長の推進工法の実施が可能である。発進用ジャッキ装置１３及び中押しジャッキ装置１１に要求される能力も、市販の汎用機のそれで十分であり、格安に施工できる。
【００３７】
現実的、実用的な設計の観点でも、５ｋｍないし１０ｋｍ程度の長距離推進は楽に実施可能である。よって、前記推進距離の間に縦坑を用意する必要は一切無く、また、推進管を縦坑の位置毎に接続する作業も必要ないから、その分の手間と工期、工費を省略できる。そして、推進工事は、目標地点に向かって連続状態に一斉に進められるから、短工期で、しかも安価に、安全に施工できるのである。
【００３８】
なお、図１〜図３は、請求項５記載の発明で言う、後行の反力管ブロックが、先行の推進管ブロックの推進に必要な推進反力を確保する目的で、推進管ブロックよりも推進方向の規模（長さ）を大きくした実施例であるが、三つのブロックＡ、Ｂ、Ｃの規模（長さ）はほぼ等しくして、推進管ブロックよりも反力管ブロックの推進方向規模が丁度２倍（請求項６記載の発明）の大きさの実施例を示しているが、この限りではない。
【００３９】
理論的には、先行する推進管ブロックの推進抵抗よりも、後行の反力管ブロックの周面摩擦抵抗力等が適度に大きい条件を満たせば、上記の推進工法は成立する。
【００４０】
つまり、先行する推進管ブロックの規模を１とするとき、後行の反力管ブロックの規模が１以上であれば良いことがわかる。そこで図１〜図３の実施例に則して言えば、先行の推進管ブロックの規模を１とするとき、２個から成る後行の反力管ブロックの合計規模が例えば１．５であってもよく、そして、後行の２個の反力管ブロックそれぞれの規模は１と０．５のような関係に二分（又は三分以上でも可）する構成（請求項５記載の発明）によっても、全く同様に実施可能である。
【００４１】
もっとも、推進施工能率の向上、及び工期の短縮の観点からは、図１〜図３に示したように、ブロックＡ、Ｂ、Ｃの規模（長さ）がほぼ等しい関係で実施するのが最も好ましい。
【００４２】
次に、図５と図６は、請求項１、３、４に記載した発明の実施形態を示している。
【００４３】
この発明に係る長距離推進工法は、図５中に添付符号Ａで示した先行の推進管ブロックと、添付符号Ｂで示しハッチングを付した後行の反力管ブロックＢの推進方向の規模（長さ）がほぼ等しい大きさである。これら２個のブロックＡ、Ｂを一組とし、必要な組数を数珠繋ぎ状態に連続させて実施することが特徴であり、この点で図１〜図３の実施例とは異なる。
【００４４】
既に説明してきたように、一組のブロックＡ、Ｂの推進方向の規模（長さ）がほぼ等しい大きさであると、周囲の地山によって与えられる周面摩擦抵抗の大きさも通例等しいから、推進管ブロックＡの推進抵抗と、後行の反力管ブロックＢによって得られる推進反力とはほぼ釣り合い、時として推進不能に陥る心配がある。
【００４５】
そこで、本発明では、後行の反力管ブロックＢ（又はＡ）が反力工程を実行する際には、同反力管ブロックに、例えば周囲の地山に向かって迫り出し又は突き出して反力を増進する反力増進機構を用意し、これを使用することにより推進管ブロックＡ又はＢの推進抵抗よりも必要十分に大きな推進反力を確保して施工することを特徴とする。
【００４６】
但し、反力増進機構を具体的に図示することは省略した。例えば周囲の地山に向かって棒状部材が油圧ジャッキ等で突き出されて反力を得るような反力増進機構を予め各ブロックに用意し、反力管ブロックが反力工程を実行する都度、これを作動させる手法などを実施可能である。
【００４７】
上記した反力増進機構の存在を前提として更に推進工法の説明を続ける。図５は、添付符号Ａで示した先行の推進管ブロックを、ハッチングを付し添付符号Ｂで示した後行の反力管ブロックに推進反力をとって、中押しジャッキ装置１１’が推進工程を実行している。図６では逆に、ハッチングを付し添付符号Ａで示したブロックは反力管ブロックに切り換わり、添付符号Ｂで示したブロックが推進管ブロックに役割が切り換えられ、やはり両ブロックの間に介在する中押しジャッキ装置１１’が推進工程を実行している。つまり、一組をなす二つのブロックＡとＢが交互にその役割を切り換えて推進工事が進められる。この場合にも、前後方向において該当する複数の中押しジャッキ装置１１’…は一斉に同時駆動され、推進工事の短工期化が図られる（請求項３記載の発明）。
【００４８】
なお、図５中で最も右方寄りに位置する推進管ブロックＡは、発進縦坑１２内の発進用ジャッキ装置１３およびこれに支持された１ピースの推進管単位体Ｂ’に推進反力を得て、中押しジャッキ装置１１’による推進工程が実行される。図６の段階では、図６中最も右方寄りに位置するブロックＡは、ハッチングを付したように反力管ブロックに切り換えられている。その反力工程の間に、発進縦坑１２内の発進用ジャッキ装置１３に押された１ピースの推進管単位体Ｂ’が土中へ押し込まれる。
【００４９】
同じ図６の段階で、先端の先導掘進装置１０は、直後の反力管ブロックＡに掘進反力を得て、一定ストロークの掘進工程を行っている。
【００５０】
以下、図５と図６の工程を交互に繰り返して所望の場所までの長距離推進工法が一気に連続して実施される。
【００５１】
次に、図７は、上述した図１〜図３の実施例の異なる実施態様であって、先導掘進装置１０が最先の一組のブロック要員Ａとなっている。この先導掘進装置１０は、他の組のブロックＡの推進工程と同時期に掘進工程を実行する実施形態を示している（請求項１、３に記載した発明）。この実施形態は、図５、図６の実施形態においても、先導掘進装置１０を最先のブロック要員Ａに置き換えて全く同様に実施することができる。
【００５２】
図８は、請求項２に記載した発明の実施形態である。先導掘進装置１０を、最先の一組のブロックＡ、Ｂ、ＣにおけるブロックＡの一部分として一体化した実施例を示している。つまり、ブロックＡの推進工程と、先導掘進装置１０の掘進工程とが合一に行われる。この実施形態は、図５、図６の実施形態においても、最先のブロックＡに先導掘進装置１０を一体化して全く同様に実施可能である。
【００５３】
【発明の奏する効果】
請求項１〜６に記載した発明に係る中押しジャッキの複数同時駆動による長距離推進工法によれば、極端に言えば、汎用のジャッキ装置を使用しても、限界を持たない無限長の推進施工が可能である。仮に現実的、実用的な観点で設計しても、既往技術の集大成として、５ｋｍないし１０ｋｍに及ぶような超長距離推進を一気に、短工期で、安全に、しかも安価な工費で実現可能であり、斯界における長距離推進工法の意味、内容、効果を革新させるものである。
【図面の簡単な説明】
【図１】本発明に係る中押しジャッキの複数同時駆動による長距離推進工法の一実施形態を概念的に示した説明図である。
【図２】図１の状態から推進工程が一段階進んだ状態の説明図である。
【図３】更に推進工程が一段階進んだ状態の説明図である。
【図４】中押しジャッキ装置の一例を示した断面図である。
【図５】本発明に係る中押しジャッキの複数同時駆動による長距離推進工法の異なる実施形態を概念的に示した説明図である。
【図６】図５の状態から推進工程が一段階進んだ状態の説明図である。
【図７】本発明に係る中押しジャッキの複数同時駆動による長距離推進工法の異なる実施形態を概念的に示した説明図である。
【図８】本発明に係る中押しジャッキの複数同時駆動による長距離推進工法の異なる実施形態を概念的に示した説明図である。
【符号の説明】
Ａ　　　　　先行の推進管ブロック
Ｂ、Ｃ　　　後行の反力管ブロック
１１　　　　中押しジャッキ装置
１２　　　　発進縦坑
１４　　　　発進用ジャッキ装置
【図１】
2004084165.tif 000003
【図２】
2004084165.tif 000004
【図３】
2004084165.tif 000005
【図４】
2004084165.tif 000006
【図５】
2004084165.tif 000007
【図６】
2004084165.tif 000008
【図７】
2004084165.tif 000009
【図８】
2004084165.tif 000010